Podtech/llm-jp-corpus-v4-ja_patent huggingface dataset:
【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
樹脂で塗被されていない支持体；
ホウ酸、ホウ酸塩、又はこれらの誘導体及び/もしくは塩を含む下塗り層；
バインダーと平均粒子直径500 nm以下の第1無機粒子材料とを含む、乾燥重量5〜25 g/m2の上層；並びに
該下塗り層と該上層との間に位置する、バインダーと第２無機粒子材料とを含む乾燥重量最大50 g/m2の下層を含んで成り、
該下層内のバインダーと、該下塗り層内のホウ酸、ホウ酸塩、又はこれらの誘導体及び/又は塩との重量比が、20:1以下であり、
該第2無機粒子材料が、該第1無機粒子材料の平均直径よりも大きい平均直径を有する
インクジェット受容体。
【請求項２】
該第2無機粒子材料が炭酸カルシウムである、請求項1に記載のインクジェット受容体。
【請求項３】
該第1無機粒子材料が、ヒュームド・シリカ及び/又はコロイド・シリカを含む、請求項1又は2に記載のインクジェット受容体。
【請求項４】
該下層内のバインダーが、該下層内の無機粒子材料とバインダーとを合わせた重量の1〜20重量%の量で存在する、請求項1から3までのいずれか一項に記載のインクジェット受容体。
【請求項５】
該下塗り層が、乾燥レイダウン量0.1〜4 g/m2のホウ酸、ホウ酸塩、又はこれらの誘導体及び/又は塩を含む、請求項1から4までのいずれか一項に記載のインクジェット受容体。
【請求項６】
該下塗り層が、該ホウ酸、ホウ酸塩、又はこれらの誘導体及び/又は塩と実質的に反応しないポリマーを含み、そして前記ポリマーと、該ホウ酸、ホウ酸塩、又はこれらの誘導体及び/又は塩との重量比が、80:20〜40:60である、請求項1から5までのいずれか一項に記載のインクジェット受容体。
【請求項７】
請求項1から6までのいずれか一項に記載のインクジェット受容体の製造方法であって、前記方法は：
支持体上に、付着性ポリマー材料と、ホウ酸、ホウ酸塩、又はこれらの誘導体及び/又は塩との水性分散体を含む下塗り配合物を塗被することにより、前記支持体上に下塗り層を形成し、そして該下塗り層を乾燥させておき；
支持体上に、該下塗り層の上に、第2無機粒子材料とバインダーとの水性分散体を含む第1塗被用配合物を塗被することにより、前記支持体上に乾燥重量最大50 g/m2の下層を形成し；
支持体上に、該第1塗被用配合物の上に、バインダーと、平均直径500 nm以下の第1無機粒子材料との水性分散体を含む第2塗被用配合物を塗被することにより、前記下層の上に乾燥重量5〜25 g/m2の上層を形成し；そして、
該塗被された支持体を乾燥させる
ことを含んで成る。
【請求項８】
支持体とインク受容層との間の下塗り層内に又は上層の前に該支持体上に塗被された下層内に、ホウ酸、ホウ酸塩、又はこれらの誘導体及び/又は塩を内蔵することにより、樹脂で塗被されていない支持体並びに上層及び下層を有するインク受容層を含むインクジェット受容体の光沢を改善するための、ホウ酸、ホウ酸塩、又はこれらの誘導体及び/もしくは塩の使用であって、
該上層は、乾燥重量5〜25 g/m2を有し、バインダーと第1無機粒子材料とを含み、そして、
該下層は、乾燥重量最大50 g/m2を有し、該第1無機粒子材料よりも大きい平均粒子直径を有する第2無機粒子材料を含む。
【請求項９】
支持体とインク受容層との間の下塗り層内にホウ酸、ホウ酸塩、又はこれらの誘導体及び/又は塩を内蔵することにより、樹脂で塗被されていない支持体並びに上層及び下層を有するインク受容層を含むインクジェット受容体における亀裂形成を防止するための、ホウ酸、ホウ酸塩、又はこれらの誘導体及び/又は塩の使用であって、
該上層は、乾燥重量5〜25 g/m2を有し、バインダーと平均直径120〜500 nmの第1無機粒子材料とを含み、そして、
該下層は、乾燥重量最大50 g/m2を有し、バインダーと第2無機粒子材料とを含み、
該第2無機粒子材料は、該第1無機粒子材料よりも大きい平均直径を有する。
【手続補正書】
【提出日】平成20年7月3日(2008.7.3)
【手続補正１】
【補正対象書類名】特許請求の範囲
【補正対象項目名】全文
【補正方法】変更
【補正の内容】
【特許請求の範囲】
【請求項１】
少なくとも一つの抗増殖薬および第一の抗血小板薬を含む組成物を含む医療デバイス。
【請求項２】
該組成物でコーティングされている、請求項1記載の医療デバイス。
【請求項３】
抗増殖薬がラパマイシンである、請求項1記載の医療デバイス。
【請求項４】
抗増殖薬がタキソールである、請求項1記載の医療デバイス。
【請求項５】
抗増殖薬が細胞増殖抑制性である、請求項1記載の医療デバイス。
【請求項６】
第一の抗血小板薬がGPIIb/IIIa阻害剤である、請求項1記載の医療デバイス。
【請求項７】
該組成物が、ポリマー媒質をさらに含む、請求項1記載の医療デバイス。
【請求項８】
ポリマー媒質が生体分解性ポリマーを含む、請求項7記載の医療デバイス。
【請求項９】
ポリマー媒質が、ポリ(ラクチド)、ポリ(グリコリド)、ポリ(ラクチド-コ-グリコリド)、ポリ無水物、ポリカプロラクトン、およびポリヒドロキシ酪酸吉草酸(polyhydroxybutyrate valerate)からなる群より選択されるポリマーを含む、請求項7記載の医療デバイス。
【請求項１０】
該組成物が、抗増殖薬および第一の抗血小板薬の制御放出を提供する、請求項1記載の医療デバイス。
【請求項１１】
ポリマー媒質が、医療デバイスへの共有結合を含む、請求項7記載の医療デバイス。
【請求項１２】
透析/アフェレーシスカテーテル、透析カテーテル、腹膜透析カテーテル、および固定チップ透析カテーテルからなる群より選択される、請求項1記載の医療デバイス。
【請求項１３】
合成血管移植片、血液フィルターデバイス、または血管内ステントを含む、請求項1記載の医療デバイス。
【請求項１４】
材料シートを含む、請求項1記載の医療デバイス。
【請求項１５】
材料シートがメッシュを含む、請求項14記載の医療デバイス。
【請求項１６】
材料シートが外科的ラップである、請求項14記載の医療デバイス。
【請求項１７】
抗癒着膜バリアを含む、請求項1記載の医療デバイス。  
【請求項１８】
該組成物が、第二の抗血小板薬、抗凝固薬、および抗トロンビン薬からなる群より選択される追加の薬物をさらに含む、請求項1記載の医療デバイス。
【請求項１９】
a)i)フィブリン鞘を形成する透析処置を受けている患者；および
ii)少なくとも一つの抗増殖薬および第一の抗血小板薬を含む組成物でコーティングされている透析カテーテルであって、透析処置を行なう透析カテーテル；
を提供する段階；
b)フィブリン鞘形成が軽減されるような条件下で、該カテーテルを該患者に配置する段階；
を含む、方法。
【請求項２０】
抗増殖薬がラパマイシンである、請求項19記載の方法。
【請求項２１】
抗増殖薬がタキソールである、請求項19記載の方法。
【請求項２２】
第一の抗血小板薬がGPIIb/IIIa阻害剤である、請求項19記載の方法。
【請求項２３】
カテーテルが、腹膜カテーテルおよび大腿カテーテルからなる群より選択される、請求項19記載の方法。
【請求項２４】
カテーテルが、血管移植片内に配置される、請求項19記載の方法。
【請求項２５】
血管移植片が、非接着性管腔表面を含む、請求項24記載の方法。
【請求項２６】
該組成物が、抗増殖薬および第一の抗血小板薬の制御放出を提供する、請求項19記載の方法。
【請求項２７】
組成物が、ポリマー媒質をさらに含む、請求項19記載の方法。
【請求項２８】
ポリマー媒質が、ポリ(ラクチド)、ポリ(グリコリド)、ポリ(ラクチド-コ-グリコリド)、ポリ無水物、ポリカプロラクトン、およびポリヒドロキシ酪酸吉草酸からなる群より選択されるポリマーを含む、請求項27記載の方法。
【請求項２９】
該組成物が、第二の抗血小板薬、抗凝固薬、および抗トロンビン薬からなる群より選択される追加の薬物をさらに含む、請求項19記載の方法。
【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
アクセス穴を通して被験者のターゲット組織にアクセスし得るようにされた細長い本体と、架橋結合した組織シーラントと、架橋結合した組織シーラントをアクセス穴を通して送り出し得るようにされたシーラントの送り出し要素とを備えるシステム。
【請求項２】
請求項１に記載のシステムにおいて、
被験者に治療法を施し得るようにされた、システム。
【請求項３】
請求項１に記載のシステムにおいて、
被験者にて診断を実行し得るようにされた、システム。
【請求項４】
請求項１に記載のシステムにおいて、
シーラントの送り出し要素は、標的組織にて治療法を実行する前に、シーラントをターゲット組織まで送り出し得るようにされる、システム。
【請求項５】
請求項１に記載のシステムにおいて、
シーラントの送り出し要素は、システムを除去したとき、シーラントをアクセス穴まで送り出し得るようにされる、システム。
【請求項６】
請求項１に記載のシステムにおいて、
シーラントの送り出し要素は、標的組織にて診断を実行する前に、シーラントをターゲット組織まで送り出し得るようにされる、システム。
【請求項７】
請求項１に記載のシステムにおいて、
細長い本体は、末端と、基端とを有し、該末端は組織を切開又は切除する（ｅｘｃｉｓｉｎｇ）切断要素（ｃｕｔｔｉｎｇ  ｅｌｅｍｅｎｔ）を備える、システム。
【請求項８】
請求項７に記載のシステムにおいて、
切断要素は、針、把持器、鉗子、メス、掻破器、鋏、ブラシ、アブレーションツール、ＲＦループ、ヒータ、レーザアブレーション、プローブ、機械的切開又は切除装置、ｘ線、放射線及び低温外科手術用プローブから成る群から選ばれた要素を備える、システム。
【請求項９】
請求項１に記載のシステムにおいて、
標的組織を映像化し得るようにされた、システム。
【請求項１０】
請求項１に記載のシステムにおいて、
調剤組成物をターゲット組織まで送り出し得るようにされた、システム。
【請求項１１】
請求項１に記載のシステムにおいて、
その内部に細長い本体が配設されるスリーブを更に備える、システム。
【請求項１２】
請求項１に記載のシステムにおいて、
架橋結合したシーラントは血栓形成カスケード（ｃｌｏｔｔｉｎｇ  ｃａｓｃａｄｅ）を開始し又は加速する、システム。
【請求項１３】
請求項１に記載のシステムにおいて、
シーラントは、ヒドロゲル、タンパク質、ポリマー及び架橋結合剤から成る群から選ばれた材料を備える、システム。
【請求項１４】
請求項１３に記載のシステムにおいて、
ヒドロゲル材料は、ヒアルロナン（ｈｙａｌｕｒｏｎｓ）、ヒアルロン酸、アルギン酸塩、キチン、キトサン及びそれらの誘導体の群から選ばれた材料を備える、システム。
【請求項１５】
請求項１３に記載のシステムにおいて、
タンパク質材料は、アルブミン、豚アルブミン、コラーゲン及びゼラチンから成る群から選ばれた材料を備える、システム。
【請求項１６】
請求項１３に記載のシステムにおいて、
ポリマー材料は、ポリ（乳酸）及びポリ（グリコリド）から成る群から選ばれた材料を備える、システム。
【請求項１７】
請求項１３に記載のシステムにおいて、
架橋結合剤材料は、グルタルアルデヒド及び安定的なポリアルデヒドから成る群から選ばれた材料を備える、システム。
【請求項１８】
請求項１に記載のシステムにおいて、
架橋結合したシーラントは、１．３７９ｋＰａ（０．２ｐｓｉ）以上の接着力を有する、システム。
【請求項１９】
請求項１に記載のシステムにおいて、
架橋結合したシーラントは、１．３７９ｋＰａ（０．２ｐｓｉ）ないし４．１３７ｋＰａ（０．６ｐｓｉ）の範囲の接着力を有する、システム。
【請求項２０】
請求項１に記載のシステムにおいて、
架橋結合したシーラントは、４．１３７ｋＰａ（０．６ｐｓｉ）ないし２０．６８４ｋＰａ（３．０ｐｓｉ）の範囲の接着力を有する、システム。
【請求項２１】
請求項１に記載のシステムにおいて、
架橋結合した組織シーラントは、検出可能な標識（ｌａｂｅｌ）を更に備える、システム。
【請求項２２】
請求項２１に記載のシステムにおいて、
検出可能な標識は、酵素、放射性同位体又は発光物質である、システム。
【請求項２３】
請求項１に記載のシステムにおいて、
架橋結合したシーラントは、１．１センチポアズ以上の粘度を有する、システム。
【請求項２４】
請求項１乃至２３の何れかの請求項に記載のシステムにおいて、
前記細長い本体は、アクセス穴を通して肺の内側部分又は肺の取り巻く組織と接触し得るようにされ、
前記架橋結合したシーラントは、グルタルアルデヒド系シーラントを備え、
前記シーラントの送り出し要素は、グルタルアルデヒド系シーラントをアクセス穴を通して送り出し得るようにされた、前記アクセス穴を閉塞する穴閉塞要素を備える、システム。
【請求項２５】
請求項２４に記載のシステムにおいて、
グルタルアルデヒド系シーラントは、熱処理される、システム。
【請求項２６】
請求項２４に記載のシステムにおいて、
穴閉塞要素は、肺と胸膜との間の空間内への空気又は流体の漏洩を緩和し得るようにされた、システム。
【請求項２７】
請求項２４に記載のシステムにおいて、
穴閉塞要素は、気胸（ｐｎｅｕｍｏｔｈｏｒａｘ）を緩和する、システム。
【請求項２８】
請求項２４に記載のシステムにおいて、
穴閉塞要素は血胸（ｈｅｍｏｔｈｏｒａｘ）を緩和する、システム。
【請求項２９】
請求項２４に記載のシステムにおいて、
組織を切開又は切除し得るようにされる、システム。
【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
Ａ）最初に過剰量の有機カーボネートと専ら一級ＯＨ基のみを有するポリオールとを反応させ、そのようにして得られる反応生成物１ｍｏｌに基づいて平均ＯＨ基濃度が０．３ｍｏｌ％以下のポリマーを調製する工程、
Ｂ）エステル交換反応と同時にまたは次に過剰の未転化カーボネートと共に形成された分解産物を除去する工程、および次の工程、
Ｃ）そのように形成されたポリマーとそれぞれ一分子あたり少なくとも一つの二級ＯＨ基を有する脂肪族ポリオールとを反応させ、存在する全てのＯＨ基の合計に基づいて平均で二級ＯＨ基が５ｍｏｌ％以上の生成物を得る工程
による、二級ＯＨ基を有し、数平均分子量が５００ｇ／ｍｏｌ以上の脂肪族オリゴカーボネートポリオールの製造方法。
【請求項２】
請求項１に記載の方法によって得られる脂肪族オリゴカーボネートポリオール。
【請求項３】
請求項２に記載の脂肪族オリゴカーボネートポリオールを用いて得られるコーティング、分散体、粘着剤および／またはシーラント。
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
炭化水素溶液中でホルムアルデヒドを脂肪族酸無水物および式
Ｒ１Ｒ２Ｒ３Ｒ４Ｎ＋Ｘ−
（式中、Ｒ１は、約１８〜約２５個の炭素原子を含有する脂肪族またはオレフィン系炭化水素基であり、Ｒ２、Ｒ３、およびＲ４はそれぞれ、組み合わせたＲ２、Ｒ３、およびＲ４中の炭素原子の総数が３〜７であるように、メチル、エチル、および／またはプロピルであり、そしてＸ−は有機アニオンである）
の第四級アンモニウム塩重合開始剤と接触させる工程を含むことを特徴とするホルムアルデヒドの重合方法。
【手続補正２】
【補正対象書類名】明細書
【補正対象項目名】００３３
【補正方法】変更
【補正の内容】
【００３３】
それ故、本発明に従って、本明細書で前述した目的および利点を十分に満たすポリオキシメチレンの製造方法が提供されたことは明らかである。本発明はその特定の実施形態に関連して記載されてきたが、多くの代替案、修正、および変形が当業者に明らかであろうことは明白である。従って、添付の特許請求の範囲の精神および広い範囲内に入るすべてのかかる代替案、修正および変形を包含することが意図される。
本発明は以下の実施の態様を含むものである。
１．炭化水素溶液中でホルムアルデヒドを脂肪族酸無水物および式
Ｒ１Ｒ２Ｒ３Ｒ４Ｎ＋Ｘ−
（式中、Ｒ１は、約１８〜約２５個の炭素原子を含有する脂肪族またはオレフィン系炭化水素基であり、Ｒ２、Ｒ３、およびＲ４はそれぞれ、組み合わせたＲ２、Ｒ３、およびＲ４中の炭素原子の総数が３〜７であるように、メチル、エチル、および／またはプロピルであり、そしてＸ−は有機アニオンである）
の第四級アンモニウム塩重合開始剤と接触させる工程を含むことを特徴とするホルムアルデヒドの重合方法。
２．前記重合開始剤がベヘニルトリメチルアンモニウムアセテートであることを特徴とする上記１．に記載の方法。
３．前記脂肪族酸無水物が無水酢酸であることを特徴とする上記１．に記載の方法。
４．前記炭化水素溶媒が１つまたは複数の脂肪族炭化水素、あるいは１つまたは複数の脂肪族炭化水素と１つまたは複数の芳香族炭化水素との混合物であることを特徴とする上記１．に記載の方法。
５．前記脂肪族炭化水素がヘキサン、シクロヘキサン、ヘプタン、オクタン、または２−メチルヘキサンを含むことを特徴とする上記４．に記載の方法。
６．前記芳香族炭化水素がベンゼン、トルエンまたはキシレンを含むことを特徴とする上記４．に記載の方法。
７．前記炭化水素溶媒がヘプタンまたはヘプタンとトルエンとの混合物であることを特徴とする上記４．に記載の方法。
８．前記有機イオンＸがアセテートであることを特徴とする上記１．に記載の方法。
【手続補正書】
【提出日】平成20年6月26日(2008.6.26)
【手続補正１】
【補正対象書類名】特許請求の範囲
【補正対象項目名】全文
【補正方法】変更
【補正の内容】
【特許請求の範囲】
【請求項１】
トリアゾール置換デンドロンを製造する方法であって、
（ａ）有機アジ化物を、末端アセチレン置換コア化合物と、銅（Ｉ）触媒の存在下で反応させて、前記コア化合物の各末端アセチレン置換基を有機アジ化物と縮合させ、１，２，３−トリアゾールを形成するステップであって、前記コア化合物が、ただ１つのハロアルキル基と、少なくとも２つの末端アセチレン基を含み、前記ハロアルキル基が、末端ハロゲン置換基を有するＣ1〜Ｃ10の直鎖アルキル基を含むステップと、
（ｂ）水−有機混合溶媒中で前記ハロアルキル基をアゾ化物塩と任意に反応させて、前記ハロアルキル基の代わりにアジドアルキル基を有するデンドロン生成物を得るステップと
を含む製造方法。
【請求項２】
前記ハロアルキル基がハロメチル基である請求項１に記載の製造方法。
【請求項３】
前記コア化合物が、
【化１】
2008505224.tif 000001
からなる群から選択される式を有するものであって、式中、Ｘが−Ｏ−又は−Ｓ−であり、ｎが１〜１０であり、ｍが１〜１０であり、Ｒが−Ｃｌ又は−Ｂｒである請求項１又は２に記載の製造方法。
【請求項４】
前記有機アジ化物が、
【化２】
2008505224.tif 000002
からなる群から選択される式を有する化合物である請求項１〜３のいずれか一項に記載の製造方法。
【請求項５】
前記デンドロンが、前記ハロアルキル基がアゾ化物塩と反応してアジドアルキル基を形成する第１世代デンドロンである請求項１〜４のいずれか一項に記載の製造方法。
【請求項６】
前記デンドロンが第２世代デンドロンであり、各有機アジド分子が請求項５に記載の第１世代デンドロンである請求項１〜３のいずれか一項に記載の製造方法。
【請求項７】
前記デンドロンが第３世代デンドロンであり、各有機アジド分子が請求項６に記載の第２世代デンドロンである請求項１〜３のいずれか一項に記載の製造方法。
【請求項８】
前記デンドロンが第４世代デンドロンであり、各有機アジド分子が請求項７に記載の第３世代デンドロンである請求項１〜３のいずれか一項に記載の製造方法。
【請求項９】
請求項１〜８のいずれか一項に記載の製造方法により得られるアジド置換デンドロン。
【請求項１０】
トリアゾール置換デンドリマーを製造する方法であって、
（ａ）少なくとも２つの末端アセチレン置換基を有するアセチレン置換化合物を、アジド置換デンドロンと、銅（Ｉ）触媒の存在下、溶媒中で反応させて、前記アセチレン置換化合物の各末端アセチレン置換基を１当量の前記アジド置換デンドロンと縮合させ、１，２，３−トリアゾールを形成するステップであって、前記アジド置換デンドロンがただ１つのアジド置換基を含むステップ
を含む製造方法。
【請求項１１】
前記アジド置換デンドロンが請求項９に記載のアジド置換デンドロンである請求項１０に記載の製造方法。
【請求項１２】
前記アセチレン置換化合物が、
【化３】
2008505224.tif 000003
からなる群から選択される式を有するものである請求項１０又は１１に記載の製造方法。
【請求項１３】
請求項１０〜１２のいずれか一項に記載の製造方法により得られるトリアゾール置換デンドリマー。
【請求項１４】
【化４】
2008505224.tif 000004
からなる群から選択される式を有する３官能性試薬であって、式中、Ｘが−Ｏ−又は−Ｓ−であり、ｎが１〜１０であり、ｍが１〜１０であり、Ｒが−Ｃｌ又は−Ｂｒである３官能性試薬。
【請求項１５】
前記３官能性試薬が、
【化５】
2008505224.tif 000005
からなる群から選択される式を有する請求項１４に記載の３官能性試薬。
【請求項１６】
【化６】
2008505224.tif 000006
の式を有するアセチレン置換化合物であって、式中、各ｎは１〜１０であるアセチレン置換化合物。
【手続補正書】
【提出日】平成20年6月20日(2008.6.20)
【手続補正１】
【補正対象書類名】特許請求の範囲
【補正対象項目名】全文
【補正方法】変更
【補正の内容】
【特許請求の範囲】
【請求項１】
回転する圧縮機を担持する圧縮機シャフトの振動を軽減するための軸受装置であって、前記シャフトを支持するための第１の軸受と、前記シャフトに加わるモーメントおよび振動方向に対抗する付加減衰を発生させるための、前記第１の軸受からアウトボード側に離間する第２の軸受とを備え；
前記第１および第２の軸受は、流体静圧軸受または流体動圧軸受である；
軸受装置。
【請求項２】
回転する圧縮機を担持する圧縮機シャフトの振動を軽減するためのアウトボード側の軸受装置であって、前記回転する圧縮機の各端部で前記シャフトを支持するための一対の第１の軸受と、前記シャフトに加わるモーメントおよび振動方向に対抗する付加減衰を発生させるための、前記第１の軸受からアウトボード側に離間する一対の第２の軸受とを備え；
前記第１および第２の軸受は、流体静圧軸受または流体動圧軸受である；
軸受装置。
【請求項３】
前記第２の軸受は、前記第１の軸受の芯出しをした後に調節可能である；
請求項１または請求項２に記載の軸受装置。
【手続補正書】
【提出日】平成20年7月3日(2008.7.3)
【手続補正１】
【補正対象書類名】特許請求の範囲
【補正対象項目名】請求項１７
【補正方法】変更
【補正の内容】
【請求項１７】
傾斜している屋根又は壁のような表面であり、タイル（２７〜２９、６３〜６４）は第１端部（１４、５２）と第２端部（１５、５１）を備え、平行かつ間隔をあけた桟（２１、２２、６１、６２）に配置され、前記タイル（２７〜２９、６３〜６４）の配置は前記桟（２１、２２、６１、６２）に対して横方向であるものにおいて、前記タイルは前記第１端部（１４、５２）と前記第２端部（１５，５１）にある係合手段によって配置されていることを特徴とする表面。
【手続補正２】
【補正対象書類名】特許請求の範囲
【補正対象項目名】請求項１９
【補正方法】変更
【補正の内容】
【請求項１９】
前記第２端部（１５、５１）は隣接しているタイルの近接する前記第１端部で、固定さ
れることを特徴とする請求項１７から１８に記載の表面。
【手続補正３】
【補正対象書類名】特許請求の範囲
【補正対象項目名】請求項２０
【補正方法】変更
【補正の内容】
【請求項２０】
前記第２端部（１５、５１）はスナップ係合により、隣接している桟（１９〜２２、６
１〜６２）へ配設されることを特徴とする請求項１７から１８に記載の表面。
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
水系噴霧媒体、活性成分、及び堆積制御剤を有する噴霧組成物であって、
該組成物が少なくとも１種の界面活性剤を含み、及び
該堆積制御剤が、
分子置換数が少なくとも０．６のヒドロキシプロピルグアー、
アルキルが炭素原子を少なくとも４個有し、分子置換数が少なくとも０．１５のヒドロキシアルキルグアー、
カルボキシメチル基とヒドロキシアルキル基の両方を有し、分子置換数が少なくとも０．１のグアー、並びに
ヒドロキシアルキルトリメチルアンモニウム基又はアルキルトリメチルアンモニウム基と、ヒドロキシアルキル基の両方を有するグアーからなる群から選択される、噴霧組成物。
【請求項２】
ヒドロキシアルキルトリメチルアンモニウム基が、ヒドロキシプロピルトリメチルアンモニウム基である、請求項１に記載の噴霧組成物。
【請求項３】
前記界面活性剤が、アニオン性、カチオン性、非イオン性、両性、両性イオンの界面活性剤、又はこれらの混合物であって、前記組成物中のこれらの量が少なくとも０．０１質量％である、請求項１又は２のいずれかに記載の噴霧組成物。
【請求項４】
前記界面活性剤の量が０．０５〜２質量％である、請求項３に記載の噴霧組成物。
【請求項５】
前記堆積制御剤の重量平均分子量が５０，０００ｇ／ｍｏｌ〜１０，０００，０００ｇ／ｍｏｌである、請求項１〜４のいずれか１つに記載の噴霧組成物。
【請求項６】
堆積制御剤の量が０．００１〜２質量％である、請求項１〜５のいずれか１つに記載の噴霧組成物。
【請求項７】
収縮速度が２００ｍｍ／秒より低い、請求項１〜６のいずれか１つに記載の噴霧組成物。
【請求項８】
前記堆積制御剤が、分子置換数が少なくとも０．６のヒドロキシプロピルグアーであって、かつ前記堆積制御剤量が０．００１〜２質量％である、又は
前記堆積制御剤が、分子置換数が少なくとも０．１５のヒドロキシブチルグアーであって、かつ前記堆積制御剤量が０．００１〜１質量％である、請求項１〜７のいずれか１つに記載の噴霧組成物。
【請求項９】
前記堆積制御剤が、分子置換数が少なくとも０．１５のヒドロキシブチルグアーであって、かつ前記堆積制御剤量が０．０１〜０．５質量％である、請求項８に記載の噴霧組成物。
【請求項１０】
前記堆積制御剤が、分子置換数が少なくとも０．１５のヒドロキシブチルグアーであって、かつ前記堆積制御剤量が０．０１〜０．０５質量％である、請求項９に記載の噴霧組成物。
【請求項１１】
前記活性成分が、除草剤、殺虫剤（pesticide）、殺菌剤、殺虫剤（aphicide）、殺ダニ剤又は肥料である、請求項１〜１０のいずれか１つに記載の噴霧組成物。
【請求項１２】
前記活性成分が、ニトリロオキシム類、イミダゾール類、トリアゾール類、スルフェンアミド類、ジチオ−カルバメート類、ストロビルリン類、クロロタロニル、銅塩、硫黄、フェニルアミド類及びフェニルアミド誘導体、並びに塩素化芳香化合物からなる群から選択される殺菌剤である、請求項１〜１１のいずれか１つに記載の噴霧組成物。
【請求項１３】
前記活性成分が葉面肥料である、請求項１〜１１のいずれか１つに記載の噴霧組成物。
【請求項１４】
前記組成物が、
さらなる別のドリフト制御剤、
消泡剤、
リーチング防止剤、
レオロジー改質剤、
保湿剤、
液状肥料、
浸透剤及び／又は展着剤、並びに
キレート及び水質調節剤のうち１種以上をさらに含む、請求項１３に記載の噴霧組成物。
【請求項１５】
前記レオロジー改質剤が、グリコール又はエチレングリコールから選択される、請求項１４に記載の噴霧組成物。
【請求項１６】
前記組成物が、
表面に堆積される被覆剤の少なくとも１つの成分が前記活性成分である、被覆剤組成物、
布地表面に堆積される少なくとも１つの成分が前記活性成分である、布地処理組成物、
硬い表面に適用される少なくとも１つの成分が前記活性成分である、硬い表面の洗浄組成物、
インク、カラー被覆剤、もしくは汚染被覆剤、又は
小型缶から散布されるエアロゾル噴霧剤である、請求項１に記載の噴霧組成物。
【請求項１７】
請求項１〜１６のいずれか１つに記載の噴霧組成物を用意し、
前記組成物の液滴を、地上もしくは空中で噴霧する、又は放出する工程を含む、活性成分を含む組成物の堆積を制御する方法。
【請求項１８】
噴霧がノズルを通して行われ、前記液滴の大きさが少なくとも５０μｍである、請求項１７に記載の方法。
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
化学組成が、wt％にて：
Ｃ  ：≦０．１
Ｓｉ：≦２
Ｍｎ：０．１〜２
Ｓ  ：０．０８〜０．４
Ｃｒ：１６〜２５
Ｎｉ：≦２
Ｍｏ：１〜５
Ｃｕ：０．０１〜３．０
Ｃａ：≦０．００６
Ｓｎ：≦０．１５
Ｂ  ：≦０．０２
Ｘ  ：０．０１〜０．５および／またはＲＥＭ：０．０１〜１
残部：Ｆｅおよび不純物、上記Ｘは２×Ｔｅ＋１×Ｓｅ＋１×Ｂｉ
であることを特徴とするフェライトステンレス鋼。
【請求項２】
請求項１において、Ｃｒ含有量が１８〜２２wt％であり、および／または、Ｎｉ含有量が≦１wt％であることを特徴とするフェライトステンレス鋼。
【請求項３】
請求項２において、Ｃｒ含有量が１９〜２１wt％であり、および／または、Ｎｉ含有量が≦０．５wt％であることを特徴とするフェライトステンレス鋼。
【請求項４】
請求項１から３までのいずれか１項において、Ｃ含有量が≦０．０５wt％であることを特徴とするフェライトステンレス鋼。
【請求項５】
請求項４において、Ｃ含有量が≦０．０３wt％であることを特徴とするフェライトステンレス鋼。
【請求項６】
請求項１から５までのいずれか１項において、Ｍｎ含有量が０．２〜１．５wt％であり、および／または、Ｓ含有量が０．１〜０．４wt％であることを特徴とするフェライトステンレス鋼。
【請求項７】
請求項６において、Ｍｎ含有量が０．４〜１．５wt％であり、および／または、Ｓ含有量が０．１５〜０．３５wt％であることを特徴とするフェライトステンレス鋼。
【請求項８】
請求項６または７において、Ｃａ含有量が≦０．００２wt％であることを特徴とするフェライトステンレス鋼。
【請求項９】
請求項８において、Ｃａ含有量が≦０．００１wt％であることを特徴とするフェライトステンレス鋼。
【請求項１０】
請求項１から９までのいずれか１項において、Ｓｉ含有量が≦１wt％であり、および／または、Ｍｏ含有量が１．５〜２．５wt％であることを特徴とするフェライトステンレス鋼。
【請求項１１】
請求項１０において、Ｓｉ含有量が≦０．５wt％であり、および／または、Ｍｏ含有量が１．８５〜２．５wt％であることを特徴とするフェライトステンレス鋼。
【請求項１２】
請求項１から１１までのいずれか１項において、Ｃｕ含有量が０．５〜２wt％であり、および／または、Ｂ含有量が０．０００５〜０．０１wt％であることを特徴とするフェライトステンレス鋼。
【請求項１３】
請求項１２において、Ｃｕ含有量が０．７〜２wt％であり、および／または、Ｂ含有量が０．００１〜０．０１wt％であることを特徴とするフェライトステンレス鋼。
【請求項１４】
請求項１から１３までのいずれか１項において、Ｘすなわち２×Ｔｅ＋１×Ｓｅ＋１×Ｂｉの含有量が０．０２〜０．４wt％、望ましくは０．０２〜０．２wt％であり、および／または、ＲＥＭの含有量が０．０１〜０．１であることを特徴とするフェライトステンレス鋼。
【請求項１５】
請求項１４において、Ｘの含有量が０．０２〜０．２wt％であることを特徴とするフェライトステンレス鋼。
【請求項１６】
請求項１から１５までのいずれか１項において、不純物であるＮ、Ｐ、Ｏの含有量が、wt％で：
Ｎ：≦０．０５
Ｐ：≦０．０３
Ｏ：≦０．０５
であることを特徴とするフェライトステンレス鋼。
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
成分（Ａ）として式：
【化１】
2008505241.tif 000001
の２，４，５，７−テトラアミノピリミド［５，４ｇ］プテリジン、
成分（Ｂ）としてリン酸塩化合物、及び
場合により、成分（Ｃ）としてさらなる添加剤
を含む顔料配合物。
【請求項２】
成分（Ｂ）が、無機リン酸塩、ポリリン酸塩又は鎖状メタリン酸塩である、請求項１記載の顔料配合物。
【請求項３】
成分（Ｃ）としてワックス、グリコールエステル、ポリエチレングリコール、界面活性剤、グリセリンエステル、ラノリン系誘導体又は分散剤を含む、請求項１又は請求項２記載の顔料配合物。
【請求項４】
成分（Ｂ）を、式：
【化２】
2008505241.tif 000002
（式中、Ｘ-は、酸アニオンである）の化合物に加え、ＮａＯＨ、次に場合により成分（Ｃ）を混合物に室温で加え、加熱し、次いでろ過及び乾燥後に得られた顔料配合物を単離することを含む、請求項１記載の顔料配合物の製造方法。
【請求項５】
成分（Ｂ）及び場合により成分（Ｃ）を、任意の順序で、式：
【化３】
2008505241.tif 000003
（式中、Ｘ-は酸アニオンである）の化合物に加え、混合物にＮａＯＨを室温で加え、加熱し、次いでろ過及び乾燥後に得られた顔料配合物を単離することを含む、請求項１記載の顔料配合物の製造方法。
【請求項６】
分散剤を使って、式：
【化４】
2008505241.tif 000004
（式中、Ｘ-は、酸アニオンである）の化合物を水に分散させ、次に成分（Ｂ）及びＮａＯＨを、任意の順序でやや高温で加えることを含む、請求項１記載の顔料配合物の製造方法。
【請求項７】
高分子量有機材料を練り込み着色するための、請求項１〜３のいずれか１項記載の顔料配合物の使用。
【請求項８】
高分子量有機材料の練り込み着色の方法であって、請求項１〜３のいずれか１項記載の顔料配合物を高分子量有機材料に混和することを含む方法。
【請求項９】
印刷着色剤、印刷ペースト又は印刷インクの製造における、請求項１〜３のいずれか１項記載の顔料配合物の使用。
【請求項１０】
請求項１〜３のいずれか１項記載の顔料配合物を含む、印刷着色剤、印刷ペースト又は印刷インク。
【手続補正書】
【提出日】平成20年3月18日(2008.3.18)
【手続補正１】
【補正対象書類名】特許請求の範囲
【補正対象項目名】全文
【補正方法】変更
【補正の内容】
【特許請求の範囲】
【請求項１】
酢酸ビニル−エチレンコポリマーと、
アルカリ膨潤性増粘剤と、
水と、
を含む接着剤組成物であって、前記酢酸ビニル−エチレンコポリマーが前記水中に分散され、前記接着剤組成物が、４〜１０のｐＨ、９ｃｍ以下の糸引き長さおよび４５度以下の位相遅れを有する、接着剤組成物。
【請求項２】
前記組成物が、
５〜７５質量％の酢酸ビニル−エチレンコポリマーと、
０．１〜１０質量％のアルカリ膨潤性増粘剤と、
残部としての水と、
を含む、請求項１に記載の接着剤組成物。
【請求項３】
前記アルカリ膨潤性増粘剤がアニオン性アルカリ膨潤性アクリル増粘剤を含む、請求項１に記載の接着剤組成物。
【請求項４】
前記接着剤組成物が３，０００〜５０，０００ｃＰの粘度を有する、請求項１に記載の接着剤組成物。
【請求項５】
分配口を有するディスペンサ容器と、
前記ディスペンサ容器内に配置された接着剤組成物と、
を含む物品であって、前記接着剤組成物が、
酢酸ビニル−エチレンコポリマーと；
アルカリ膨潤性増粘剤と；
水と
を含み、前記酢酸ビニル−エチレンコポリマーが前記水中に分散され、前記接着剤組成物が、４〜１０のｐＨ、９ｃｍ以下の糸引き長さおよび４５度以下の位相遅れを有する、物品。
【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
重合ポリウレタンを未硬化ジエンエラストマー組成物に結合するための特に接着プライマーとして使用可能な接着組成物であって、
前記接着組成物が、ポリイソシアネート化合物と、該ポリイソシアネート化合物のイソシアネート基に対して反応する官能基を含むポリエステル又はビニルエステル樹脂をとを含み、これらのイソシアネート基の総数が、該ポリエステル又はビニルエステル樹脂の該官能基の総数に対して超えている、
ことを特徴とする組成物。
【請求項２】
前記ポリイソシアネート化合物が、ジイソシアネートである、請求項１に記載の組成物。
【請求項３】
前記ジイソシアネート化合物が、ＴＤＩである、請求項２に記載の組成物。
【請求項４】
前記ポリエステル又はビニルエステル樹脂の前記官能基が、水酸基、カルボキシル基、チオール基、アミン基−ＮＨ、−ＮＨ2、及び−ＮＨＲ、アミド基−ＣＯＮＨ2及び−ＣＯＮＨＲ、チオアミド基−ＣＳＮＨ2及び−ＣＳＮＨＲ、スルホン酸基−ＳＯ2ＯＨ、及びこのような官能基の混合物（Ｒは、あらゆる一価の炭化水素基である）の中から選択される、請求項１に記載の組成物。
【請求項５】
前記ポリエステル又はビニルエステル樹脂の前記官能基が、水酸基である、請求項４に記載の組成物。
【請求項６】
前記ビニルエステル樹脂が、エポキシビニルエステル樹脂である、請求項１に記載の組成物。
【請求項７】
前記樹脂のための溶媒としてのスチレンを更に含む、請求項１に記載の組成物。
【請求項８】
前記スチレンの含有量が、５％〜１５％（前記樹脂及びその関連溶媒の総質量の％）である、請求項７に記載の組成物。
【請求項９】
前記樹脂の前記官能基に対するイソシアネート基の前記超過が、３よりも大きい、請求項１に記載の組成物。
【請求項１０】
乾燥時の樹脂に対するポリイソシアネートの前記質量比が、１．０（Ｍ／１７４）（２／Ｎ）〜１．８（Ｍ／１７４）（２／Ｎ）である、請求項１に記載の組成物。
【請求項１１】
接着性インタフェースにより第２のジエンゴム部分と一体となった少なくとも第１のポリウレタン部分を含む複合材料であって、
前記接着性インタフェースが、少なくとも１つのポリイソシアネート化合物と、前記ポリウレタンのイソシアネート基に対して反応性の官能基を含むポリエステル又はビニルエステル樹脂と、該ビニルエステル又はポリエステル樹脂に結合することができるジエンエラストマーのための２次接着層とに基づいている、
ことを特徴とする複合材料。
【請求項１２】
前記２次接着層の前記ジエンエラストマーが、ポリビニルピリジン／スチレン／ブタジエン・エラストマー（「ｐ−ＶＳＢＲ」と略称される）である、請求項１１に記載の複合材料。
【請求項１３】
前記接着性インタフェースが、少なくとも１つのポリイソシアネート化合物、エポキシビニルエステル樹脂、及びｐ−ＶＳＢＲエラストマーに基づいている、請求項１１に記載の複合材料。
【請求項１４】
請求項１１に記載の複合材料を含む、空気又は非空気タイヤ。
【手続補正書】
【提出日】平成20年5月23日(2008.5.23)
【手続補正１】
【補正対象書類名】特許請求の範囲
【補正対象項目名】全文
【補正方法】変更
【補正の内容】
【特許請求の範囲】
【請求項１】
哺乳動物における水晶体細胞の再生を増進するための医薬の製造における、ヒアルロン酸化合物を含む組成物の使用であって、
前記増進処置のステップは、前記哺乳動物の水晶体嚢を前記組成物で満たすことを含み、
前記ヒアルロン酸化合物が、前記水晶体嚢に入れられてから少なくとも2週間経過後に生物分解または溶解するように製剤化される使用。
【請求項２】
前記ヒアルロン酸化合物が、前記水晶体嚢に入れられてから8週間経過時までに実質上完全に溶解するように製剤化される、請求項1に記載の使用。
【請求項３】
哺乳動物における眼症状を処置するための医薬の製造における、ヒアルロン酸化合物を含む組成物の使用であって、
前記処置のステップは、前記哺乳動物における水晶体細胞の再生を増進し、それによって前記眼症状を処置するために、前記哺乳動物の水晶体嚢を前記組成物で満たすことを含み、
前記ヒアルロン酸化合物が、前記水晶体嚢に入れられてから少なくとも2週間経過後に溶解するように製剤化される使用。
【請求項４】
前記組成物がRestylane（登録商標）、Perlane（登録商標）、およびそれらの組み合わせからなる群より選択される、請求項1または3に記載の使用。
【請求項５】
前記ヒアルロン酸化合物が前記組成物中に少なくとも約20mg/mlの濃度で存在する、請求項1または3に記載の使用。
【請求項６】
前記組成物がゲルである、請求項1または3に記載の使用。
【請求項７】
前記ヒアルロン酸化合物が、前記水晶体嚢に入れられてから8週間経過時までに実質上完全に生物分解または溶解するように製剤化される、請求項3に記載の使用。
【請求項８】
前記ヒアルロン酸化合物が、正常な水晶体構造および縫合形成が可能になるように最初期水晶体線維がある程度整列する時点までに、実質上完全に生物分解または溶解するように製剤化される、請求項3に記載の使用。
【請求項９】
前記眼症状が白内障である、請求項3に記載の使用。
【請求項１０】
哺乳動物における水晶体細胞の再生を増進するための医薬の製造における、羊水、体外受精培地、またはその両方を含む組成物の使用であって、
前記増進処置のステップは、前記哺乳動物の水晶体嚢を前記組成物で満たすことを含む使用。
【請求項１１】
前記ステップが、少なくとも一つのコラーゲンパッチを前記水晶体嚢に挿入することをさらに含む、請求項1、3または10に記載の使用。
【請求項１２】
前記ステップが、前記水晶体嚢にコラーゲンを注入することをさらに含む、請求項1、3または10に記載の使用。
【請求項１３】
前記ステップが、コラーゲンに基づく生成物を前記水晶体嚢に挿入することをさらに含み、前記コラーゲンに基づく生成物がZyderm（登録商標）、Resoplast（登録商標）、Dermalogen（登録商標）およびAlloderm（登録商標）からなる群より選択される、請求項1、3または10に記載の使用。
【請求項１４】
前記ステップが、前記少なくとも一つのコラーゲンパッチの前記挿入に先だって、前記水晶体嚢内の水晶体に水晶体乳化術を施すことをさらに含む、請求項11に記載の使用。
【請求項１５】
光を屈折させるための機能的に作動可能な再生水晶体手段へと成長するのに有効な、六角形パターンに配置された複数のリボン状無核構成要素を含む、新規な高度組織構造組成物。
【請求項１６】
嚢内に置かれた六角形マトリックス内に配列されたアルファ、ベータ、およびガンマ・クリスタリンを組み合わせて含み、機能的な光屈折性水晶体がそこから成長し続けて、使用者における視力の回復を可能にする、再生組成物。
【請求項１７】
哺乳動物における水晶体細胞の再生を増進するためのヒアルロン酸化合物を含む組成物であって、前記ヒアルロン酸化合物が、哺乳動物の水晶体嚢に入れられてから少なくとも2週間経過後に生物分解または溶解するように製剤化される組成物。
【請求項１８】
哺乳動物における眼症状を処置するためのヒアルロン酸化合物を含む組成物であって、前記ヒアルロン酸化合物が、哺乳動物の水晶体嚢に入れられてから少なくとも2週間経過後に溶解するように製剤化される組成物。
【請求項１９】
哺乳動物における水晶体細胞の再生を増進するための、羊水、体外受精培地、またはその両方を含む組成物。
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
下記一般式(I)に相当する化合物（任意にその互変異性体、ラセミ体、エナンチオマー、ジアステレオマー及び混合物の形態でよく、かつ任意にその薬理学的に許容しうる酸付加塩、溶媒和物又は水和物でよい）。
【化１】
2008505157.tif 000001
（式中、
同一又は異なってよいR1、R2は、水素又は任意に置換されていてもよいC1-C6-アルキル、C2-C6-アルケニル及びC2-C6-アルキニルの中から選択される基を表し、或いは
R1とR2が一緒に2-員〜5-員アルキルブリッジを表し、
R3は、水素又は任意に置換されていてもよいC1-C12-アルキル、C2-C12-アルケニル、C2-C12-アルキニル及びC6-C14-アリールの中から選択される基、或いは
任意に置換及び／又は架橋されていてもよいC3-C12-シクロアルキル、C3-C12-シクロアルケニル、C7-C12-ポリシクロアルキル、C7-C12-ポリシクロアルケニル及びC5-C12-スピロシクロアルキルの中から選択される基を表し、
R4は、水素、ヒドロキシ及びハロゲンの中から選択される基、又は
任意に置換されていてもよいC1-C3-アルキル、C2-C6-アルケニル、C2-C6-アルキニル、C1-C5-アルキルオキシ、C2-C5-アルケニルオキシ及びC2-C5-アルキニルオキシの中から選択される基を表し、
Lは、任意に置換されていてもよいC2-C10-アルキル、C2-C10-アルケニル、C6-C14-アリール、-C1-C4-アルキル-C6-C14-アリール、C6-C14-ヘテロアリール、及び任意に架橋されていてもよいC3-C12-シクロアルキルの中から選択されるリンカーを表し、
nは、0又は1を表し、
R5は、水素又は任意に置換されていてもよいC1-C6-アルキル、C1-C6-アルケニル、C1-C6-アルキニル、C3-C12-シクロアルキルの中から選択される基、又は
任意に置換されていてもよいピリジル、モルフォリニル、ピペリジニル、ピペラジニル、ピペラジニルカルボニル、ピロリジニル、トロペニル、スルホキソモルフォリニル、スルホニルモルフォリニル、チオモルフォリニル及びアザシクロヘプチルの中から選択される基を表す。）
【請求項２】
式中、
R3〜R5、n及びLが前記定義どおりであり、かつ
同一又は異なってよいR1、R2が、水素、又は
メチル、エチル、プロピル、プロパルギル及びアリルの中から選択される基を表し、
或いは
R1とR2が一緒にシクロプロピルを表す、請求項１記載の化合物。
【請求項３】
式中、
R1〜R4、n及びLが前記定義どおりであり、かつ
R5が、水素又は任意に置換されていてもよいC1-C6-アルキル、C3-C12-シクロアルキルの中から選択される基、
或いは任意に置換されていてもよいピリジル、モルフォリニル、ピペリジニル、ピペラジニル及びピペラジニルカルボニルの中から選択される基を表す、請求項１又は２記載の化合物。
【請求項４】
式中、
R1、R2、R4、R5、n及びLが前記定義どおりであり、かつ
R3が、水素、任意に置換されていてもよいC1-C6-アルキル或いは任意に置換及び／又は架橋されていてもよいC3-C12-シクロアルキルを表す、請求項１〜３のいずれか１項に記載の化合物。
【請求項５】
式中、
R1、R2、R3、R5、n及びLが前記定義どおりであり、かつ
R4が、水素、ヒドロキシ、ハロゲン、メチル、エチル、プロピニルオキシ及びメトキシの中から選択される基を表す、請求項１〜４のいずれか１項に記載の化合物。
【請求項６】
医薬組成物として使用するための請求項１〜５のいずれか１項に記載の式Ｉの化合物。
【請求項７】
抗増殖活性を有する医薬組成物として使用するための請求項１〜５のいずれか１項に記載の式Ｉの化合物。
【請求項８】
癌、感染症、炎症性疾患及び自己免疫性疾患の治療及び／又は予防用医薬組成物を調製するための請求項１〜５のいずれか１項に記載の式Ｉの化合物の使用。
【請求項９】
有効量の請求項１〜５のいずれか１項に記載の式Ｉの化合物を含有する、癌、感染症、炎症性疾患及び自己免疫性疾患の治療及び／又は予防用医薬組成物。
【請求項１０】
活性物質として１種以上の請求項１〜５のいずれか１項に記載の一般式(I)の化合物又はその生理学的に許容しうる塩を含有し、任意に通常の賦形剤及び／又は担体と混ぜ合わせてよい、医薬組成物。
【請求項１１】
下記一般式(I)：
【化２】
2008505157.tif 000002
（式中、R1〜R5、n及びLは、請求項１〜５で与えた意味を有する）
の化合物の調製方法であって、
下記一般式(II)：
【化３】
2008505157.tif 000003
（式中、R1〜R3は、請求項１〜４で与えた意味を有し、かつAは脱離基である）
の化合物を、下記一般式(III)：
【化４】
2008505157.tif 000004
（式中、
R4は、請求項１〜５で与えた意味を有し、かつ
R6は、OH、-O-メチル、-O-エチルを表す）
の任意に置換されていてもよい化合物と反応させて、下記一般式(IV)：
【化５】
2008505157.tif 000005
（式中、
R1〜R4は、請求項１〜５で与えた意味を有し、かつ
R6は、OH、NH2-Ln-R5、-O-メチル又は-O-エチルを表す）
の生成物を得、
それから、得られた一般式(IV)の生成物を（任意に、該エステル基-COR6を予め加水分解した後でもよい）、下記一般式(V)：
【化６】
2008505157.tif 000006
（式中、R5は、請求項１〜５で与えた意味を有する）
のアミンと任意に反応させることを特徴とする、前記方法。
【請求項１２】
下記一般式(II)の化合物。
【化７】
2008505157.tif 000007
（式中、R1〜R3は、請求項１〜５で与えた意味を有し、かつAは脱離基である。）
【手続補正書】
【提出日】平成20年7月1日(2008.7.1)
【手続補正１】
【補正対象書類名】特許請求の範囲
【補正対象項目名】請求項５５
【補正方法】変更
【補正の内容】
【請求項５５】
キナーゼのインビボ活性を調節するための、請求項５３に記載の医薬組成物。
【手続補正２】
【補正対象書類名】特許請求の範囲
【補正対象項目名】請求項５６
【補正方法】変更
【補正の内容】
【請求項５６】
前記キナーゼが、ｃ−Ｍｅｔ、ＫＤＲ、及びｆｌｔ−３の少なくとも１つである、請求項５５記載の医薬組成物。
【手続補正３】
【補正対象書類名】特許請求の範囲
【補正対象項目名】請求項５７
【補正方法】変更
【補正の内容】
【請求項５７】
前記キナーゼがｃ−Ｍｅｔである、請求項５５記載の医薬組成物。
【手続補正４】
【補正対象書類名】特許請求の範囲
【補正対象項目名】請求項５８
【補正方法】変更
【補正の内容】
【請求項５８】
ｃ−Ｍｅｔのインビボ活性を調節することが、ｃ−Ｍｅｔの阻害を含む、請求項５７記載の医薬組成物。
【手続補正５】
【補正対象書類名】特許請求の範囲
【補正対象項目名】請求項５９
【補正方法】変更
【補正の内容】
【請求項５９】
制御不能な、異常な、及び／又は望まれない細胞活動に関連した疾患又は障害の治療に用いるための、請求項５３に記載の医薬組成物。
【手続補正６】
【補正対象書類名】特許請求の範囲
【補正対象項目名】請求項６１
【補正方法】変更
【補正の内容】
【請求項６１】
１つの細胞又は複数の細胞における増殖活性を阻害するための、請求項５３に記載の医薬組成物。
【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
B細胞リンパ腫を治療するための放射線標識化抗CD20抗体を含んでなる医薬組成物であって、患者に化学療法的養生法を適用した後の患者に投与するためのものであり、ここで前記放射線標識化抗体による治療時に、前記患者は前記化学療法的養生法に対して治療抵抗性ではなく、かつ再発していない、ことを特徴とする医薬組成物。
【請求項２】
前記化学療法的養生法が非放射線標識化抗CD20抗体を投与することを含んでなる、請求項1に記載の医薬組成物。
【請求項３】
化学療法がCHOP、ICE、ミトキサトロン、シタラビン、DVP、ATRA、イダルビシン、ヘルザー化学療法的養生法、La La化学療法的養生法、ABVD、CEOP、2-CdA、FLAG & IDA (引き続くG-CSF治療を含むか、あるいは含まない) 、VAD、M & P、C-毎週、ABCM、MOPPまたはDHAPを含んでなる、請求項1に記載の医薬組成物。
【請求項４】
前記放射線標識化抗CD20抗体を、前記化学療法的養生法後、約1週〜約2年に投与する、請求項1に記載の医薬組成物。
【請求項５】
前記放射線標識化抗CD20抗体を、前記化学療法的養生法後、約1週〜約9ヶ月に投与する、請求項1に記載の医薬組成物。
【請求項６】
前記放射線標識化抗CD20抗体を、前記化学療法的養生法後、約1週に投与する、請求項1に記載の医薬組成物。
【請求項７】
前記抗CD20抗体がキメラ抗CD20抗体である、請求項2に記載の医薬組成物。
【請求項８】
前記抗CD20抗体がRituximab（商標）である、請求項7に記載の医薬組成物。
【請求項９】
前記抗CD20抗体がZevalin（商標）である、請求項7に記載の医薬組成物。
【請求項１０】
前記抗CD20抗体がBexxar（商標）である、請求項1に記載の医薬組成物。
【請求項１１】
前記B細胞リンパ腫が低級/濾胞性非ホジキンリンパ腫 (NHL) 、小リンパ球 (SL) NHL、中級/濾胞性NHL、中級広汎性NHL、慢性リンパ球性白血病 (CLL) 、高級免疫芽球性NHL、高級リンパ芽球性NHL、高級小非分割細胞性NHL、粗大疾患性NHL、外套細胞性リンパ腫、エイズ関係リンパ腫またはヴァルデンストレームマクログロブリン血症である、請求項1に記載の医薬組成物。
【請求項１２】
前記患者が前記化学療法的養生法適用時に前記疾患について以前に治療されてきていない、請求項1に記載の医薬組成物。
【請求項１３】
前記放射線標識化抗体による前記治療時に、前記患者が前記養生法に対して応答したか、あるいは応答している、請求項1に記載の医薬組成物。
【手続補正書】
【提出日】平成20年6月25日(2008.6.25)
【手続補正１】
【補正対象書類名】明細書
【補正対象項目名】００９３
【補正方法】変更
【補正の内容】
【００９３】
実施例２
ａｃｒＡＢホモログ排出ポンプの外膜成分の同定
ａｃｒＡＢポンプが、インフルエンザ菌におけるＰＤＦ阻害剤およびマクロライドの両方に対する内因性耐性の主な要因（contributor）であることを確認したので、ポンプの三部構造（tripartite architecture）を完成するためのポンプの外膜チャネル成分を同定することに興味があった。大腸菌のａｃｒＡＢに相当するＴｏｌＣ外膜チャネルを用いるインフルエンザ菌ゲノムのタンパク質ホモロジー検索は、ＯＲＦ ＨＩ１４６２との顕著な類似性を明らかにする（期待値２．９×１０−６）。興味深いことに、緑膿菌ｍｅｘＡＢ−ｏｐｒＭポンプのｏｐｒＭ成分は、期待値２．８×１０−２２でＨＩ１４６２に対してより一層対応し、ＨＩ１４６２が、外膜チャネルのよい候補であることを示す。このことと一致して、インフルエンザ菌ＮＢ６５０４４におけるＨＩ１４６２の不活性化（図２を参照のこと）（ＮＢ６５０４４−ＣＤＳ００２２）は、全てａｃｒＡＢポンプの基質であるエリスロマイシン、クリンダマイシンおよびＬＢＭ４１５に対する感受性を増加するが、ポンプの基質でないテトラサイクリンに対する感受性に影響を与えない。表２を参照のこと。近年、他のグループ［上記のTrepod and Mott (2004)を参照のこと］も、このポンプについて外膜チャネルとしてＨＩ１４６２の同定を報告している。故に、本発明に包含されるデータは、この発見を支持し、ＬＢＭ４１５に対する耐性を仲介するこのチャネル成分の役割を説明する。